(57)【要約】【課題】店舗ごとの顧客の情報を介して、店舗間の関係の把握を支援する。【解決手段】本発明の店舗相関図表示装置は、第１店舗ＴＡ０１〜第５０店舗ＴＡ５０における顧客の購買履歴に関する購買データを取得する取得部と、購買データに基づいて、第１店舗ＴＡ０１〜第５０店舗ＴＡ５０における２つの店舗の店舗同士の相性を算出する算出部と、複数の店舗における少なくとも一部の店舗に対応する複数のノード２１１と、複数のノード２１１における少なくとも一部の間を接続するとともに店舗同士の相性を示すライン２１５とを有する店舗相関図２１０を表示させる表示部とを備える。【選択図】図３
2018097628.tif 000002
【特許請求の範囲】
【請求項１】
複数の店舗における顧客の利用履歴に関する利用情報を取得する取得部と、
前記取得部が取得する前記利用情報に基づいて、前記複数の店舗における２つの店舗のうちの一方の店舗の顧客と他方の店舗の顧客との関係を算出する算出部と、
前記複数の店舗における少なくとも一部の店舗に対応する複数の第１図形要素と、当該複数の第１図形要素における少なくとも一部の第１図形要素間を接続するとともに前記関係を示す第２図形要素とを有する相関図を表示させる表示部と
を備える店舗相関図表示装置。
【請求項２】
前記関係に関する設定を受け付ける受付部を有し、
前記表示部は、前記受付部が受け付けた前記設定に基づいて、前記第２図形要素の表示を制御する
ことを特徴とする請求項１記載の店舗相関図表示装置。
【請求項３】
前記第１図形要素は、前記関係に基づく大きさで前記相関図に表示される所定形状の図形である
ことを特徴とする請求項１または２記載の店舗相関図表示装置。
【請求項４】
前記第１図形要素は、前記複数の店舗のうち対象とする店舗とともに１人の利用者に共通して利用される可能性が高い他の店舗の数に応じた大きさで前記相関図に表示される
ことを特徴とする請求項１乃至３のいずれか１項記載の店舗相関図表示装置。
【請求項５】
前記第２図形要素は、前記第１図形要素間を接続する線であり、前記関係に基づき当該線の表示態様が異なって表示される
ことを特徴とする請求項１乃至４のいずれか１項記載の店舗相関図表示装置。
【請求項６】
前記算出部は、前記２つの店舗が１人の利用者に共通して利用される可能性を示す指標に基づいて前記関係を算出する
ことを特徴とする請求項１乃至５のいずれか１項記載の店舗相関図表示装置。
【請求項７】
前記算出部は、前記取得部が取得する前記利用情報に基づいて、前記２つの店舗の利用履歴におけるサポート値およびリフト値を算出し、
前記表示部は、前記サポート値および前記リフト値に基づく表示態様で前記第２図形要素を表示する
ことを特徴とする請求項１乃至６のいずれか１項記載の店舗相関図表示装置。
【請求項８】
前記表示部は、前記複数の店舗の各々が存在する商業施設ごとに前記相関図を表示可能である
ことを特徴とする請求項１乃至７のいずれか１項記載の店舗相関図表示装置。
【請求項９】
複数の店舗における顧客の利用履歴に関する利用情報を取得する取得部と、
前記取得部が取得する利用情報に基づいて、前記複数の店舗のうち対象とする店舗とともに１人の利用者に共通して利用される可能性が高い他の店舗の数に関する数値を算出する第１算出部と、
前記取得部が取得する利用情報に基づいて、前記複数の店舗における２つの店舗のサポート値およびリフト値を算出する第２算出部と、
前記数値に基づく大きさで表示され前記複数の店舗における少なくとも一部の店舗に対応させて表示される所定形状の図形と、前記サポート値および前記リフト値に基づく表示態様で表示され当該図形間を接続する線とを有する、当該複数の店舗の相関図を表示させる表示部と
を備える店舗相関図表示装置。
【請求項１０】
複数の店舗における顧客の利用履歴に関する利用情報を取得する取得部と、
前記取得部が取得する利用情報に基づいて、前記複数の店舗における２つの店舗のうちの一方の店舗の顧客と他方の店舗の顧客との関係を算出する算出部と、
前記複数の店舗における少なくとも一部の店舗に対応する複数の第１図形要素と、当該複数の第１図形要素における少なくとも一部の第１図形要素間を接続するとともに前記関係を示す第２図形要素とを有する相関図を表示させる表示部と、
前記表示部からの信号に基づき前記相関図を表示する表示装置と
を備える店舗相関図表示システム。
【発明の詳細な説明】
【技術分野】
【０００１】
本発明は、店舗相関図表示装置および店舗相関図表示システムに関する。
【背景技術】
【０００２】
従来、複数店舗の販売情報を集め、集めた情報に基づき各店舗の販売促進を図ることや店舗の誘致を行うことで、各店舗の利益向上を図ることがあった。
例えば、特許文献１には、複数の店舗毎に顧客が取得したポイントを簡単に把握することができる多店舗共通ポイントカード及び一部の店舗や商店だけに偏ることなく、各店舗や商店が公平に販売促進の効果を得ることができるようにした多店舗共通ポイントサービスシステムが記載されている。
【先行技術文献】
【特許文献】
【０００３】
【特許文献１】特開２００２−１５７６４９号公報
【発明の概要】
【発明が解決しようとする課題】
【０００４】
ところで、より各店舗の利益を向上させるために、店舗間の情報を多く収集することが望まれる場合がある。
そこで、本発明では、店舗ごとの顧客の情報を介して、店舗間の関係の把握を支援することを目的とする。
【課題を解決するための手段】
【０００５】
請求項１に記載の発明は、複数の店舗における顧客の利用履歴に関する利用情報を取得する取得部と、前記取得部が取得する前記利用情報に基づいて、前記複数の店舗における２つの店舗のうちの一方の店舗の顧客と他方の店舗の顧客との関係を算出する算出部と、前記複数の店舗における少なくとも一部の店舗に対応する複数の第１図形要素と、当該複数の第１図形要素における少なくとも一部の第１図形要素間を接続するとともに前記関係を示す第２図形要素とを有する相関図を表示させる表示部とを備える店舗相関図表示装置である。
請求項２に記載の発明は、前記関係に関する設定を受け付ける受付部を有し、前記表示部は、前記受付部が受け付けた前記設定に基づいて、前記第２図形要素の表示を制御することを特徴とする請求項１記載の店舗相関図表示装置である。
請求項３に記載の発明は、前記第１図形要素は、前記関係に基づく大きさで前記相関図に表示される所定形状の図形であることを特徴とする請求項１または２記載の店舗相関図表示装置である。
請求項４に記載の発明は、前記第１図形要素は、前記複数の店舗のうち対象とする店舗とともに１人の利用者に共通して利用される可能性が高い他の店舗の数に応じた大きさで前記相関図に表示されることを特徴とする請求項１乃至３のいずれか１項記載の店舗相関図表示装置である。
請求項５に記載の発明は、前記第２図形要素は、前記第１図形要素間を接続する線であり、前記関係に基づき当該線の表示態様が異なって表示されることを特徴とする請求項１乃至４のいずれか１項記載の店舗相関図表示装置である。
請求項６に記載の発明は、前記算出部は、前記２つの店舗が１人の利用者に共通して利用される可能性を示す指標に基づいて前記関係を算出することを特徴とする請求項１乃至５のいずれか１項記載の店舗相関図表示装置である。
請求項７に記載の発明は、前記算出部は、前記取得部が取得する前記利用情報に基づいて、前記２つの店舗の利用履歴におけるサポート値およびリフト値を算出し、前記表示部は、前記サポート値および前記リフト値に基づく表示態様で前記第２図形要素を表示することを特徴とする請求項１乃至６のいずれか１項記載の店舗相関図表示装置である。
請求項８に記載の発明は、前記表示部は、前記複数の店舗の各々が存在する商業施設ごとに前記相関図を表示可能であることを特徴とする請求項１乃至７のいずれか１項記載の店舗相関図表示装置である。
請求項９に記載の発明は、複数の店舗における顧客の利用履歴に関する利用情報を取得する取得部と、前記取得部が取得する利用情報に基づいて、前記複数の店舗のうち対象とする店舗とともに１人の利用者に共通して利用される可能性が高い他の店舗の数に関する数値を算出する第１算出部と、前記取得部が取得する利用情報に基づいて、前記複数の店舗における２つの店舗のサポート値およびリフト値を算出する第２算出部と、前記数値に基づく大きさで表示され前記複数の店舗における少なくとも一部の店舗に対応させて表示される所定形状の図形と、前記サポート値および前記リフト値に基づく表示態様で表示され当該図形間を接続する線とを有する、当該複数の店舗の相関図を表示させる表示部とを備える店舗相関図表示装置である。
請求項１０に記載の発明は、複数の店舗における顧客の利用履歴に関する利用情報を取得する取得部と、前記取得部が取得する利用情報に基づいて、前記複数の店舗における２つの店舗のうちの一方の店舗の顧客と他方の店舗の顧客との関係を算出する算出部と、前記複数の店舗における少なくとも一部の店舗に対応する複数の第１図形要素と、当該複数の第１図形要素における少なくとも一部の第１図形要素間を接続するとともに前記関係を示す第２図形要素とを有する相関図を表示させる表示部と、前記表示部からの信号に基づき前記相関図を表示する表示装置とを備える店舗相関図表示システムである。
【発明の効果】
【０００６】
請求項１の発明によれば、店舗ごとの顧客の情報を介して、店舗間の関係の把握を支援することができる。
請求項２の発明によれば、第２図形要素の表示態様により、店舗ごとの顧客の関係を把握することができる。
請求項３の発明によれば、第１図形要素の大きさにより、店舗ごとの顧客の関係を把握することができる。
請求項４の発明によれば、第１図形要素の大きさにより、複数の店舗が１人の利用者に共通して利用される可能性を把握することができる。
請求項５の発明によれば、第２図形要素の表示態様により、店舗ごとの顧客の関係を把握することができる。
請求項６の発明によれば、相関図の表示態様により、複数の店舗が１人の利用者に共通して利用される可能性を把握することができる。
請求項７の発明によれば、第２図形要素の表示態様により、２つの店舗の利用履歴におけるサポート値およびリフト値に関する情報を把握することができる。
請求項８の発明によれば、各商業施設における店舗間の関係を把握することができる。
請求項９の発明によれば、店舗ごとの顧客の情報を介して、店舗間の関係を把握することができる。
請求項１０の発明によれば、店舗ごとの顧客の情報を介して、店舗間の関係の把握を支援することができる。
【図面の簡単な説明】
【０００７】
【図１】本実施の形態が適用される店舗相関図表示システムの全体構成例を示した図である。
【図２】店舗相関図表示装置の構成例を説明するための図である。
【図３】店舗相関図の構成例を説明するための図である。
【図４】（ａ）は店舗の所在地地図を示し、（ｂ）は相性度リストを示す。
【図５】各店舗の商圏情報を示す画像の構成例を説明するための図である。
【図６−１】（ａ）および（ｂ）は、表示調整領域の機能を説明するための図である。
【図６−２】（ａ）および（ｂ）は、表示調整領域の機能を説明するための図である。
【図７】店舗相関図表示装置のハードウェア構成例を示した図である。
【図８】他の実施の形態が適用される店舗相関図表示システムの全体構成例を示した図である。
【図９】（ａ）乃至（ｃ）は、他の実施形態における店舗相関図の構成例を説明するための図である。
【図１０】（ａ）および（ｂ）は店舗情報一覧表示領域を示す。
【発明を実施するための形態】
【０００８】
以下、添付図面を参照して、本発明の実施の形態について説明する。
＜店舗相関図表示システム１＞
図１は、本実施の形態が適用される店舗相関図表示システム１の全体構成例を示した図である。
図１を参照しながら、本実施の形態が適用される店舗相関図表示システム１の全体構成例について説明をする。この店舗相関図表示システム１は、第１クライアントＰＣＡ、第２クライアントＰＣＢおよび第３クライアントＰＣＣを含むクライアント群１０と、第１ショッピングセンタＳＣＡ、第２ショッピングセンタＳＣＢ、および第３ショッピングセンタＳＣＣを含むショッピングセンタ群２０と、店舗相関図表示装置（サーバ）１００とを有する。クライアント群１０と、ショッピングセンタ群２０と、店舗相関図表示装置１００とは、インターネットやＬＡＮ（Local Area Network）などのネットワーク３０を介して接続されている。
【０００９】
店舗相関図表示システム１は、複数の店舗における利用者の行動履歴、より具体的には、顧客の購買行動に基づいて、ショッピングセンタの店舗同士の相関図を表示する。言い替えると、店舗相関図表示装置１００は、ネットワーク３０を介して、第１クライアントＰＣＡ〜第３クライアントＰＣＣ（店舗相関図表示システム１）のユーザに、店舗同士の関係性を示す情報を提供する機能を備えている（詳細は後述）。
【００１０】
クライアント群１０を構成する第１クライアントＰＣＡ〜第３クライアントＰＣＣのそれぞれは、デスクトップ型コンピュータ、ノート型コンピュータ、タブレット型コンピュータやスマートフォンなどのコンピュータ装置によって構成される。第１クライアントＰＣＡ〜第３クライアントＰＣＣのそれぞれは、ウェブブラウザを有することができ、店舗相関図表示装置１００の各種設定をウェブブラウザから行うことができる。
【００１１】
なお、図示の例では、クライアント群１０を３台のクライアントで構成しているが、クライアントの台数についてはこれに制限されない。例えば、クライアント群１０が１台のクライアントにより構成される場合を含む。また、第１クライアントＰＣＡ〜第３クライアントＰＣＣは、ネットワーク３０を介さずに店舗相関図表示装置１００に接続されてもよい。また、１つのコンピュータ装置として、店舗相関図表示装置１００および第１クライアントＰＣＡが構成されてもよい。
【００１２】
ショッピングセンタ群２０を構成する第１ショッピングセンタＳＣＡ〜第３ショッピングセンタＳＣＣのそれぞれは、複数の店舗（テナント）が入居する商業施設である。図示の例の第１ショッピングセンタＳＣＡは、第１店舗ＴＡ０１〜第５０店舗ＴＡ５０を有する。
【００１３】
なお、ここでの店舗は、物品販売業、飲食業、サービス業等などの業種（業態）を特に限定されない。言い替えると、１つのショッピングセンタに複数の業種の店舗が入居する場合がある。
また、図示の例では、ショッピングセンタ群２０を３つのショッピングセンタで構成しているが、ショッピングセンタの数についてはこれに制限されない。例えば、ショッピングセンタ群２０が１つのショッピングセンタにより構成される場合を含む。言い替えると、店舗相関図表示システム１が１つのショッピングセンタを有する構成であってもよい。また、ここでの１つのショッピングセンタは、必ずしも１つの区域の商業施設に制限されない。すなわち、１つのショッピングセンタが複数の区域により形成されてもよい。
【００１４】
店舗相関図表示装置１００は、コンピュータ装置によって構成される（詳細は後述）。本実施の形態の店舗相関図表示装置１００は、ショッピングセンタ群２０に含まれる複数の店舗同士の関係を示す相関図を第１クライアントＰＣＡ〜第３クライアントＰＣＣの少なくとも１つに表示する。
【００１５】
＜店舗相関図表示装置１００＞
図２は、店舗相関図表示装置１００の構成例を説明するための図である。
次に、図１および図２を参照しながら店舗相関図表示装置１００の構成例について説明をする。
本実施の形態の店舗相関図表示装置１００は、操作受付部１１０と、取得部１３０と、算出部１５０と、表示部１７０とを有する。
【００１６】
操作受付部１１０は、ネットワーク３０を介して、店舗相関図表示システム１のユーザの操作を受け付ける。さらに説明をすると、操作受付部１１０は、第１クライアントＰＣＡ〜第３クライアントＰＣＣの操作手段（キーボードやマウス等、不図示）がユーザによって操作されたことを示す信号を受信する。なお、操作受付部１１０は、受付部の一例である。
【００１７】
取得部１３０は、ネットワーク３０を介して、第１ショッピングセンタＳＣＡ〜第３ショッピングセンタＳＣＣを構成する店舗に関するデータを取得する。
この取得部１３０は、購買データ取得部１３１と、店舗データ取得部１３３と、地域データ取得部１３５とを有する。
【００１８】
購買データ取得部１３１は、第１ショッピングセンタＳＣＡ〜第３ショッピングセンタＳＣＣを構成する店舗の購買データを取得する。購買データは、各店舗の顧客（利用者）の購買履歴（利用履歴）を示すデータである。この購買データは、例えば、店舗の識別情報、店舗の業種識別情報、店舗利用日時、購入品目（利用サービス）、購買者情報（利用者情報を含む）などを含む。
【００１９】
ここで、購買者情報は、購買者（利用者を含む）の年齢、性別および住所の情報を含む。また、この購買データは、店舗での物品やサービスの購入とは関係なく、顧客が来店したことを示すデータを含む。このような来店したことを示すデータとしては、例えば、顧客が来店するとその顧客に付与される来店ポイントが付与された日時などに関するデータがある。したがって、上記の購買データは、店舗利用データ（利用情報）と言い替えることもできる。
【００２０】
本実施の形態における購買データは、店舗が存在するショッピングセンタなどが発行し、各店舗での商品・サービスの購入金額や来店回数等に応じて、利用者にポイントが与えられる所謂ポイントカードを介して集積される。なお、以下の説明においては、ポイントカードの保持者（利用者）を単に会員ということがある。
【００２１】
さらに説明をすると、例えば、ポイントカードは各々識別番号を有し、この識別番号とカードを保持する会員の会員情報（例えば、氏名、年齢、性別および住所など）とが対応づけられて、データベース（不図示）に保存されている。そして、顧客が商品・サービスの購入のためレジで会計をする際などに、店舗側にポイントカードを提示する。このとき、レジ係員などがポイントカードをカード読取機にかけることでポイントカードの識別番号が読み込まれる。この読み取ったポイントカードの識別番号と買物情報（例えば、商品識別情報、売上金額、購入日時など）とが対応づけられてデータベース（不図示）に蓄積される。そして、購買データ取得部１３１が、上記データベースに蓄積された購買データおよび会員情報を取得する。
【００２２】
店舗データ取得部１３３は、第１ショッピングセンタＳＣＡ〜第３ショッピングセンタＳＣＣを構成する店舗の店舗データを取得する。店舗データは、各店舗に関するデータである。この店舗データは、例えば、店舗の名称、業種（カテゴリ）、店舗が存在するショッピングセンタの名称（識別番号）、所在地、面積、坪あたりの月販、同一名称（同一ブランド）の他店舗の所在地などを含む。この店舗データは、例えば店舗相関図表示装置１００の操作者や、第１ショッピングセンタＳＣＡの運営者（デベロッパー）などが入力することにより、データベース（不図示）に蓄積される。そして、店舗データ取得部１３３が、データベースに蓄積された店舗データおよび保持者情報を取得する。
【００２３】
地域データ取得部１３５は、第１ショッピングセンタＳＣＡ〜第３ショッピングセンタＳＣＣが存在する地域およびその周辺の地域の地域データを取得する。この地域データは、例えば、各ショッピングセンタの商圏を含む地図、商圏の指標、将来人口推計、周辺ショッピングセンタの情報、各区域の属性データなどを含む。この地域データは、例えば店舗相関図表示装置１００の操作者などが入力することにより、データベース（不図示）に蓄積される。
【００２４】
ここで、各区域の属性データは、例えば国勢調査や地価公示価格の公開データなどに基づき、対象とする各区域（例えば、大字丁町別）を分類したデータである。分類する観点としては、例えば居住者の家族構成、住居タイプ、子供の年齢、職業、就労タイプ、人口密度などがある。各区域の属性データにより、居住者の生活段階（ライフステージ）や生活様式（ライフスタイル）などの違いで対象とする区域を把握することが可能となる。属性データの区分としては、例えば、都市型で富裕層が住む区域、地方で子育てファミリーが住む区域、農林水産業の従事者が住む区域などがある。図示の例では、大字丁町ごとに、１０区分に分類される。
【００２５】
算出部１５０は、取得部１３０が取得したデータに基づいて演算をする。
この算出部１５０は、重み算出部１５１と、相性度算出部１５３と、店舗情報算出部１５５と、地域情報算出部１５７とを有する。
【００２６】
重み算出部１５１は、購買データ取得部１３１が取得した購買データに基づいて、各店舗の重みを算出する。ここで、店舗の重みは、対象とする店舗と関連のある（関連性が強い）他の店舗の数に応じた指標である。なお、重み算出部１５１は、第１算出部の一例である。
【００２７】
さらに説明をすると、店舗の重みは、対象とする店舗とともに１人の利用者に共通して利用される可能性が高い他の店舗の数に関する数値である。言い替えると、店舗の重みは、所定期間内に、対象とする店舗を利用する前後に訪れた（利用した）店舗数の平均値により表される。例えば、店舗の重みは、ある顧客が対象とする店舗を利用した日と同日に利用した、他の店舗数の平均値である。なお、この店舗の重みは、２つの店舗のうちの一方の店舗の顧客と他方の店舗の顧客との関係の一例である。
【００２８】
相性度算出部１５３は、購買データ取得部１３１が取得した購買データに基づいて、各店舗間の相性度を算出する。ここで、各店舗間の相性度は、対象とする２つの店舗同士が、１人の利用者に共通して利用される可能性の高さを表す指標（可能性を示す指標）であり、店舗同士の相性を示す指標である。この相性度が高いほど、対象とする２つの店舗が１人の利用者に共通して利用される可能性が高くなる。なお、相性度算出部１５３は、第２算出部の一例である。
【００２９】
本実施の形態においては、相性度算出部１５３は、サポート値算出部１６１およびリフト値算出部１６３を有する。すなわち、相性度算出部１５３は、店舗間の相性度を示すため互いに異なるパラメータ（サポート値およびリフト値）を算出するサポート値算出部１６１およびリフト値算出部１６３を有する。なお、このサポート値およびリフト値の各々は、２つの店舗のうちの一方の店舗の顧客と他方の店舗の顧客との関係の一例である。
【００３０】
サポート値算出部１６１は、購買データ取得部１３１が取得した購買データに基づいて、サポート（ｓｕｐｐｏｒｔ）値を算出する。ここでのサポート値とは、対象とする２店舗（店舗Ｘおよび店舗Ｙ）をともに利用する会員の数（共有人数ｂ）の、全会員数に対する割合（確率）を示す。さらに説明をすると、このサポート値は、以下に示す式（１）で表わされる。
サポート値＝店舗Ｘの利用者かつ店舗Ｙの利用者の数／全会員数…（１）
【００３１】
リフト値算出部１６３は、購買データ取得部１３１が取得した購買データに基づいて、リフト（ｌｉｆｔ）値を算出する。ここでのリフト値とは、対象とする２店舗（店舗Ｘおよび店舗Ｙ）をともに利用する会員の数（共有人数）の、店舗Ｘの利用人数に対する割合（確率）を、店舗Ｙの利用人数の全会員数に対する割合で除した数値となる。さらに説明をすると、このリフト値は、以下に示す式（２）で表わされる。
リフト値＝（店舗Ｘの利用者かつ店舗Ｙの利用者の数／店舗Ｘの利用者の数）／（店舗Ｙの利用者の数／全会員数）…（２）
【００３２】
店舗情報算出部１５５は、購買データ取得部１３１が取得した購買データ、店舗データ取得部１３３が取得した店舗データ、および地域データ取得部１３５が取得した地域データに基づいて、各店舗の店舗情報を算出する。この店舗情報は、利用者の居住区域の属性ごとの売上高、曜日・時間帯別日あたり売上高、利用者の年齢ごとの売上高、利用者の性別ごとの売上高などを含む。
【００３３】
地域情報算出部１５７は、地域データ取得部１３５が取得した地域データに基づいて、各ショッピングセンタの地域情報を算出する。この地域情報は、各ショッピングセンタの商圏およびその周辺の区域の属性データと、各ショッピングセンタを利用する可能性が高い利用者の居住範囲（例えば、ショッピングセンタから半径５キロ圏内、車で３０分圏内など）を示す商圏の情報とを含む。
【００３４】
表示部１７０は、算出部１５０が算出したデータ（情報）に基づいて、第１クライアントＰＣＡ〜第３クライアントＰＣＣの表示領域に各データ（情報）を表示させる。
この表示部１７０は、相関図表示部１７１と、相性度リスト表示部１７３と、店舗情報表示部１７７と、地域情報表示部１７９とを有する。
【００３５】
相関図表示部１７１は、重み算出部１５１が算出した各店舗の重み、および相性度算出部１５３が算出した各店舗間の相性度に基づき、対象とするショッピングセンタが含む店舗間の相関図を表示させる。本実施の形態においては、相関図表示部１７１は、重み算出部１５１が算出した各店舗の重みに基づきノード２１１（後述）を表示するノード表示部１８１と、サポート値算出部１６１が算出したサポート値およびリフト値算出部１６３が算出したリフト値に基づいてライン２１５（後述）を表示するライン表示部１８３とを有する。
【００３６】
相性度リスト表示部１７３は、相性度算出部１５３が算出した各店舗間の相性度に基づき、相性度リスト２６１（後述）を表示する。
店舗情報表示部１７７は、店舗情報算出部１５５が算出した各店舗の店舗情報に基づき、店舗所在地地図２５１（後述）を表示する。
地域情報表示部１７９は、地域情報算出部１５７が算出した各ショッピングセンタの地域情報に基づき、地域情報地図２７１（後述）を表示する。
【００３７】
＜店舗相関図２１０＞
図３は、店舗相関図２１０の構成例を説明するための図である。
次に、図１および図３を参照しながら店舗相関図２１０の構成例について説明をする。
図３に示すように、店舗相関図表示装置１００は、表示装置の一例である第１クライアントＰＣＡの表示領域２００に、店舗相関図２１０を表示させる。また、図示の例においては、店舗相関図表示装置１００は、店舗相関図２１０とともに、表示調整領域２２０および店舗情報表示領域２３０を表示する。
【００３８】
ここで、表示領域２００は、例えば液晶表示装置やプロジェクタ装置などによって画像が表示される領域である。なお、ここでは第１クライアントＰＣＡの表示領域２００を例として説明するが、他のクライアント（例えば、第２クライアントＰＣＢ、第３クライアントＰＣＣ）や店舗相関図表示装置１００などの表示領域（不図示）に表示されてもよい。
【００３９】
店舗相関図２１０は、複数のノード（節、領域）２１１と、各ノード２１１同士を接続する複数のライン（枝、線）２１５とを有する。なお、図示の例においては、第１ショッピングセンタＳＣＡの店舗相関図２１０を表示する。
【００４０】
ノード２１１は、対象とするショッピングセンタが有する店舗ごとに、所定形状で表示される。このノード２１１は、重み算出部１５１が算出した店舗の重みに応じた大きさで表示される。図示の例においては、ノード２１１は、店舗ごとに円形の画像で表示され、その直径は店舗の重みに応じて変化する。言い替えると、対象とするノード２１１に接続されているライン２１５の数に応じて直径が変化する。また、ノード２１１は、ノード２１１の近傍またはノード２１１に重なる位置に店舗名を示す文字列が表示される。また、ノード２１１は、業態ごとに異なる色で表示される。なお、図３においては、作図の都合上、ノード２１１の色が異なることを、異なるハッチングにより示している。また、ノード２１１は、第１図形要素および所定形状の図形の一例である。
【００４１】
ここで、ノード２１１が表示される領域は、重力場として設定されている。さらに説明をすると、ノード２１１が表示される領域は、時間の経過とともに領域の中央から領域の外側に向けてノード２１１が移動する場として設定されている。また、ノード２１１に接続されるライン２１５の数が増えることに従い、領域の中央すなわち店舗相関図２１０の中央側にそのノード２１１が配置される。例えば、図３においては、ノード２１１に接続されるライン２１５の数が多い第２店舗ＴＡ０２が、店舗相関図２１０の中央側に配置されている。
【００４２】
ライン２１５は、相性度算出部１５３が算出した相性度に応じた表示態様で表示される。
図示の例においては、サポート値算出部１６１が算出したサポート値に応じて、ライン２１５の幅が変化する。より具体的には、サポート値が大きいほど、言い換えると、店舗Ｘおよび店舗Ｙの共有人数が多いほど、ライン２１５の幅が大きくなる。
【００４３】
また、図示の例においては、リフト値算出部１６３が算出したリフト値に応じて、ライン２１５の色（濃度）が変化する。より具体的には、リフト値が大きいほど、ライン２１５の色が濃くなる。なお、図３においては、作図の都合上、ライン２１５の色が異なることを、異なる線種（実線、一点鎖線、破線）により示している。さらに説明をすると、ライン２１５は、リフト値が大きいものから小さいものの順に、それぞれ実線、一点鎖線、破線により表示されている。なお、ライン２１５は、第２図形要素および線の一例である。
【００４４】
店舗相関図２１０によれば、ユーザが２つの店舗の相性（相関）を視覚により認識することができる。言い替えると、ユーザが２つの店舗の相性を感覚的に把握することができる。
ここで、店舗相関図２１０においては、ノード２１１の大きさが大きいほど、そのノード２１１が示す店舗が多くの他の店舗と繋がりがあることを示す。すなわち、大きなノード２１１が示す店舗は、利用者の買い回りにおけるハブテナントとなっていることを示す。また、ライン２１５の太さが太いほど、そのライン２１５がつなぐ２つのノード２１１が示す店舗の間で、利用者の流れがある（多い）ことを示す。すなわち、２つの店舗間のトラフィックが多いことを示す。また、ライン２１５の色が濃い（図３においては、実線）ほど、そのライン２１５がつなぐ２つのノード２１１が示す店舗間の相性が良いことを示す。
【００４５】
表示調整領域２２０は、クライアントＰＣＡの表示領域２００に表示される領域である。この表示調整領域２２０は、ユーザによる操作を受け付ける。図示の表示調整領域２２０は、各々ライン２１５の表示・非表示の基準を切り替える相性度調整部２２１および共有人数調整部２２５を有する（詳細は後述）。
【００４６】
店舗情報表示領域２３０は、ユーザが店舗相関図２１０に含まれるノード２１１のうちのいずれかを選択することにともない、そのノード２１１が示す店舗に関する情報が表示される領域である。図示の店舗情報表示領域２３０は、基本情報２３１、地域別売上高情報２３３、および曜日・時間別売上高情報２３５を有する。
【００４７】
基本情報２３１は、店舗情報算出部１５５が算出あるいは取得した基本情報を項目ごとに表示する。図示の例においては、店舗の所在フロア、カテゴリ（業態）、面積、坪当たり月販が表示される。
【００４８】
地域別売上高情報２３３は、店舗情報算出部１５５が算出した基本情報を利用者の居住区域の属性ごとの売上高などをグラフとして表示する。図示の例においては、居住区域の属性（１〜１０）ごとの売上高をグラフ（棒グラフ）で表示する。また、図示の例においては、居住区域の属性（１〜１０）ごとの、期待値からのかい離を示す指標（ＩＮＤＥＸ）についても表示される。
【００４９】
曜日・時間別売上高情報２３５は、店舗情報算出部１５５が算出した曜日・時間帯別日当たり売上高をグラフとして表示する。図示の例においては、曜日（月〜日、祝日）ごとに、売上高をグラフ（棒グラフ）で表示する。なお、棒グラフが示す売上高は、各曜日の時間帯ごとに色分けがなされている。
【００５０】
＜各店舗の詳細情報＞
図４（ａ）および図４（ｂ）は、各店舗の詳細情報を示す画像の構成例を説明するための図である。
次に、図３、図４（ａ）および図４（ｂ）を参照しながら、各店舗の詳細情報を示す画像について説明をする。
【００５１】
図３に示す店舗情報表示領域２３０をユーザが選択するなど、ユーザからの指示を受け付けることにともない、店舗情報表示領域２３０が表示する店舗の詳細情報が、クライアントＰＣＡの表示領域２００に表示される。この店舗の詳細情報は、店舗情報表示領域２３０に表示されてもよいし、店舗相関図２１０に重ねて表示されてもよい。あるいは、表示領域２００における店舗相関図２１０および店舗情報表示領域２３０を非表示として、店舗の詳細情報を表示してもよい。
【００５２】
図４（ａ）は、店舗所在地地図２５１を示す。図４（ａ）においては、店舗の店舗名「ＸＹＺファッション」と店舗の住所「東京都江東区豊洲２−４−９」が表示される。また、選択した店舗の所在地が地図上に表示される。さらに、同一の屋号（同一のブランド）の他の店舗が地図上に示される。この店舗所在地地図２５１をユーザが見ることにより、対象とする店舗の近隣に位置する同一の屋号の他の店舗の所在地を、視覚的に把握することができる。さらに説明をすると、対象とする店舗が存在するショッピングセンタと、その近隣に位置するショッピングセンタとにおける、テナント構成の差異を認識可能となる。
【００５３】
図４（ｂ）は、相性度リスト２６１を示す。この相性度リスト２６１は、対象とする１つの店舗と相性度の高い他の店舗が、相性度の順に表示される。図４（ｂ）においては、店舗「ＸＹＺファッション」と相性度の高い（相性の良い）店舗名が、「ＣＰＣショップ」から順に表示される。この相性度リスト２６１をユーザが見ることにより、対象とする店舗と相性の良い他の店舗（ブランド）が認識可能となる。そして、対象とする店舗が、相性のよい他の店舗と連携するなどして、クーポンの配布やイベント企画などのキャンペーン（販売促進活動）を実行することが容易になる。
【００５４】
＜各店舗の商圏情報＞
図５は、各店舗の商圏情報を示す画像の構成例を説明するための図である。
次に、図２、図３および図５を参照しながら、各店舗の商圏情報を示す画像について説明をする。
【００５５】
まず、店舗相関図表示装置１００は、店舗情報算出部１５５が算出した各店舗の店舗情報、および地域情報算出部１５７が算出した各ショッピングセンタの地域情報に基づき、各店舗あるいは各ショッピングセンタの商圏情報を示す画像を表示する。具体的には、図３に示す店舗情報表示領域２３０をユーザが選択するなど、ユーザからの指示を受け付けることにともない、店舗情報表示部１７７および地域情報表示部１７９が、各店舗の商圏情報を示す画像を表示する。
【００５６】
例えば、図５に示す例においては、対象とするショッピングセンタの地域情報地図２７１が表示される。この地域情報地図２７１は、対象とするショッピングセンタ（店舗）の所在地を示すとともに、対象とするショッピングセンタの商圏およびその周辺に含まれる区域の属性データの区分を識別可能に表示する。具体的には、区分ごとに、異なる色で色分けしてその区域を表示する。なお、図５においては、作図の都合上、区域の色が異なることを、異なるハッチングにより示している。
【００５７】
この地域情報地図２７１をユーザが見ることにより、対象とする店舗（ショッピングセンタ）の商圏あるいはその周辺の居住者と、対象とする店舗が主なターゲットとする顧客層との共通度が認識可能となる。言い替えると、地域情報地図２７１により、店舗の商圏の地域特性と、店舗の顧客特性との関係を把握することができる。
【００５８】
なお、図示の例においては、地域情報地図２７１にて商圏を示す円２７３、商圏を調整する（円２７３の半径を変化させる）商圏調整受付部２７５、および対象とする商圏の人口についての詳細情報２７７（図示の例においては、年齢階層別人口割合、年齢階層別就労人口割合、区分ごとの詳細人口、将来人口推計）がグラフまたは表により表示される。この詳細情報２７７をユーザが見ることにより、商圏内の居住者特性を数値として把握することができる。
【００５９】
また、図示の例においては、地域情報地図２７１とともに入力欄２７８が表示される。この入力欄２７８にテナント名（店舗名）やカテゴリ（業種）を入力することにより、地域情報地図２７１に表示される店舗の検索や絞り込みが可能となる。
【００６０】
＜表示調整領域２２０＞
図６−１（ａ）および（ｂ）、図６−２（ａ）および（ｂ）は、表示調整領域２２０の機能を説明するための図である。なお、図６−１（ａ）および（ｂ）、図６−２（ａ）および（ｂ）においては、店舗相関図２１０の一部を示す。
次に、図６−１（ａ）および（ｂ）、図６−２（ａ）および（ｂ）を参照しながら、表示調整領域２２０の機能を説明する。
【００６１】
上述のように、表示調整領域２２０は、ユーザによる操作を受け付けライン２１５の表示・非表示の基準を切り替える相性度調整部２２１および共有人数調整部２２５を有する。これらの相性度調整部２２１および共有人数調整部２２５は、ユーザによる操作に応じて、表示する相性度および共有人数の最低値を指定し、所謂足し切りを行う（フィルターをかける）。このことにより、店舗相関図２１０において表示されるライン２１５を絞り込み、相性度が高い店舗間の関係、あるいは共有人数が多い店舗間の関係をより明確に示すことが可能となる。言い替えると、表示調整領域２２０は、関連の強い店舗のノード２１１の間にのみライン２１５を表示するよう設定可能である。なお、表示する相性度および共有人数の最低値は、２つの店舗のうちの一方の店舗の顧客と他方の店舗の顧客との関係の設定の一例である。
【００６２】
図示の例の相性度調整部２２１は、相性度の目盛りに沿って移動するスライダーの画像を有する。そして、このスライダーを移動させることにより、表示する最低相性度を所定の範囲（図示の例では０〜４）内で任意に設定可能である。図示の例の共有人数調整部２２５も同様に、共有人数の目盛りに沿って移動するスライダーの画像を有し、このスライダーを移動することにより表示する最低共有人数を所定の範囲（図示の例では０〜８０２８）内で任意に設定可能である。
【００６３】
例えば、図６−１（ａ）においては、相性度調整部２２１を「１．５」に設定し、共有人数調整部２２５を「１０００」に設定する。そして、図６−１（ｂ）においては、相性度調整部２２１を「３」に設定し、共有人数調整部２２５を「１０００」に設定する。
【００６４】
すなわち、図６−１（ａ）に示す状態から相性度の設定を大きくすることにより、図６−１（ｂ）に示す状態となる。すなわち、相性度の最低値が大きな表示に切り替わる。このことにより、図６−１（ａ）に示されるライン２１５のうち、色が濃いライン２１５（図示の例においては実線のライン２１５）のみが図６−１（ｂ）において表示される。このように相性度の最低値を大きくすることで、相性度が高い店舗間の関係把握が容易となる。
【００６５】
また、例えば、図６−２（ａ）においては、相性度調整部２２１を「１．４」に設定し、共有人数調整部２２５を「３０００」に設定する。そして、図６−２（ｂ）においては、相性度調整部２２１を「１．４」に設定し、共有人数調整部２２５を「６８００」に設定する。
【００６６】
すなわち、図６−２（ａ）に示す状態から共有人数の設定を大きくすることにより、図６−２（ｂ）に示す状態となる。すなわち、共有人数の最低値が大きな表示に切り替わる。このことにより、図６−２（ａ）に示されるライン２１５のうち、色の太いライン２１５のみが図６−２（ｂ）において表示される。このように共有人数の最低値を大きくすることで、共有人数が多い店舗間の関係把握が容易となる。
【００６７】
なお、ここでは相性度調整部２２１および共有人数調整部２２５の一方ずつを調整することを説明したが、相性度調整部２２１および共有人数調整部２２５の両者を調整することも可能である。
また、相性度調整部２２１および共有人数調整部２２５のいずれか一方をゼロとすることにより、相性度あるいは共有人数のいずれかのみに応じてライン２１５の表示態様を切り替えることが可能である。
【００６８】
また、図示の例では相性度と、共有人数とを調整することを説明したが、他のパラメータを設定することで店舗相関図２１０における表示を切り替えてもよい。例えば、重み算出部１５１が算出する重み、サポート値算出部１６１が算出するサポート値、リフト値算出部１６３が算出するリフト値などの一部または全部を設定することで、店舗相関図２１０における表示を切り替えてもよい。
【００６９】
図７は、店舗相関図表示装置１００のハードウェア構成例を示した図である。
店舗相関図表示装置１００は、上述のようにコンピュータ装置により実現される。
図７に示すように、店舗相関図表示装置１００は、演算手段であるＣＰＵ（Central Processing Unit）１０１と、記憶手段であるメインメモリ１０３およびＨＤＤ（Hard Disk Drive）１０５とを備える。ここで、ＣＰＵ１０１は、ＯＳ（Operating System）やアプリケーションソフトウェア等の各種プログラムを実行する。また、メインメモリ１０３は、各種プログラムやその実行に用いるデータ等を記憶する記憶領域である。ＨＤＤ１０５は、各種プログラムに対する入力データや各種プログラムからの出力データ等を記憶する記憶領域である。
【００７０】
また、店舗相関図表示装置１００は、外部との通信を行うための通信インターフェイス（通信Ｉ／Ｆ）１０７を備えている。なお、ＣＰＵ１０１が実行するプログラムは、予めメインメモリ１０３に記憶させておく形態の他、例えばＣＤ−ＲＯＭ等の記憶媒体に格納してＣＰＵ１０１に提供したり、あるいは、ネットワーク３０（図１参照）を介してＣＰＵ１０１に提供したりすることも可能である。
【００７１】
＜他の実施形態＞
図８は、他の実施の形態が適用される店舗相関図表示システム１の全体構成例を示した図である。
次に、図８を参照しながら、他の実施の形態が適用される店舗相関図表示システム１の全体構成例について説明をする。この店舗相関図表示システム１は、上記図１に示す店舗相関図表示システム１と基本的な構成は同一である。一方、上記図１に示す店舗相関図表示システム１においては、第２ショッピングセンタＳＣＢおよび第３ショッピングセンタＳＣＣが有する店舗についての記載が省略されているが、図８においてはこれらの店舗の記載が含まれている。
【００７２】
図８に示す第２ショッピングセンタＳＣＢは、第１店舗ＴＡ０１、第３店舗ＴＡ０３、第９店舗ＴＡ０９〜第３７店舗ＴＡ３７、第４０店舗ＴＡ４０〜第６０店舗ＴＡ６０を有する。ここで、第１ショッピングセンタＳＣＡおよび第２ショッピングセンタＳＣＢの各々が有する店舗は、互いに一部一致し、一部異なる。例えば、第１店舗ＴＡ０１は第１ショッピングセンタＳＣＡおよび第２ショッピングセンタＳＣＢがともに有するのに対して、第２店舗ＴＡ０２は第１ショッピングセンタＳＣＡのみが有し、第６０店舗ＴＡ６０は第２ショッピングセンタＳＣＢのみが有する。
【００７３】
同様に、図８に示す第３ショッピングセンタＳＣＣは、第１店舗ＴＡ０１、第４店舗ＴＡ０４、第８店舗ＴＡ０８〜第７０店舗ＴＡ７０を有する。ここで、第１ショッピングセンタＳＣＡおよび第３ショッピングセンタＳＣＣの各々が有する店舗は、互いに一部一致し、一部異なる。例えば、第１店舗ＴＡ０１は第１ショッピングセンタＳＣＡおよび第３ショッピングセンタＳＣＣがともに有するのに対して、第２店舗ＴＡ０２は第１ショッピングセンタＳＣＡのみが有し、第７０店舗ＴＡ７０は第３ショッピングセンタＳＣＣのみが有する。
【００７４】
＜他の実施形態における店舗相関図２１０＞
図９（ａ）乃至（ｃ）は、他の実施形態における店舗相関図２１０の構成例を説明するための図である。
次に、図８および図９（ａ）乃至（ｃ）を参照しながら他の実施形態における店舗相関図２１０の構成例について説明をする。なお、以下の説明においては、主に上記実施の形態と相違する点を説明し、上記実施の形態と一致する点については説明を省略する。また、図９（ａ）乃至（ｃ）においては、明瞭化のため、店舗相関図２１０に表示されるノード２１１およびライン２１５の一部を記載するとともに、表示調整領域２２０（図３参照）および店舗情報表示領域２３０（図３参照）の記載を省略する。
【００７５】
他の実施形態における店舗相関図表示装置１００は、対象とする１つのショッピングセンタ（自ショッピングセンタ）が有する店舗同士の相関図だけでなく、他のショッピングセンタ（他ショッピングセンタ）が有する店舗同士の相関図、あるいは自ショッピングセンタおよび他ショッピングセンタが有する店舗同士の相関図も表示可能である。
【００７６】
具体的には、他の実施形態における店舗相関図表示装置１００は、店舗相関図２１０とともに、店舗相関図２１０に表示される対象となるショッピングセンタを切り替える対象切替領域２８０を表示する。対象切替領域２８０は、クライアントＰＣＡの表示領域２００（図３参照）に表示される領域である。
【００７７】
対象切替領域２８０は、ユーザによる操作を受け付ける。具体的には、図示の対象切替領域２８０は、自ショッピングセンタ（図示の例では、第１ショッピングセンタＳＣＡ）の相関図を選択する第１選択部２８１と、他ショッピングセンタ（図示の例では、第２ショッピングセンタＳＣＢおよび第３ショッピングセンタＳＣＣ）の相関図を選択する第２選択部２８３と、自ショッピングセンタおよび他ショッピングセンタの相関図を選択する第３選択部２８５とを有する。第１選択部２８１〜第３選択部２８５のいずれが選択されるかに応じて、言い替えるといずれのチェックボックスがチェックされるかに応じて、店舗相関図２１０の表示が切り替わる。
【００７８】
具体的に説明をすると、図９（ａ）に示すように、第１選択部２８１が選択されると、自ショッピングセンタの相関図が店舗相関図２１０として表示される。このとき、店舗相関図２１０においては、第１ショッピングセンタＳＣＡが有する店舗である第１店舗ＴＡ０１〜第５０店舗ＴＡ５０の相関図が表示される。
【００７９】
次に、図９（ｂ）に示すように、第２選択部２８３が選択されると、他ショッピングセンタの相関図が店舗相関図２１０として表示される。このとき、店舗相関図２１０においては、第２ショッピングセンタＳＣＢおよび第３ショッピングセンタＳＣＣが有する店舗である第１店舗ＴＡ０１〜第７０店舗ＴＡ７０の相関図が表示される。
【００８０】
ここで、図９（ｂ）の店舗相関図２１０に表示されるノード２１１は、図９（ａ）の店舗相関図２１０に表示されるノード２１１と形状が異なる。言い替えると、自ショッピングセンタの店舗（図示の例では、白丸）と他ショッピングセンタの店舗（図示の例では、二重丸）でノード２１１の表示態様が異なる。
【００８１】
また、図９（ｂ）の店舗相関図２１０に表示されるノード２１１およびライン２１５は、第２ショッピングセンタＳＣＢおよび第３ショッピングセンタＳＣＣが有する店舗の平均値に基づいて表示される。すなわち、第２ショッピングセンタＳＣＢおよび第３ショッピングセンタＳＣＣの両者に含まれる店舗（例えば、第５１店舗ＴＡ５１、第５２店舗ＴＡ５２、第６０店舗ＴＡ６０）は、各々のパラメータ（例えば、重み、サポート値、リフト値）を各店舗に関する平均値（代表値）に基づいて表示される。なお、第２ショッピングセンタＳＣＢおよび第３ショッピングセンタＳＣＣのいずれか一方に含まれる店舗（例えば、第２店舗ＴＡ０２、第３店舗ＴＡ０３）は、各店舗のパラメータに基づいて表示される。
【００８２】
次に、図９（ｃ）に示すように、第３選択部２８５が選択されると、自ショッピングセンタおよび他ショッピングセンタの相関図が店舗相関図２１０として表示される。このとき、店舗相関図２１０においては、第１ショッピングセンタＳＣＡ〜第３ショッピングセンタＳＣＣが有する店舗である第１店舗ＴＡ０１〜第７０店舗ＴＡ７０の相関図が表示される。
【００８３】
ここで、図９（ｃ）の店舗相関図２１０に表示されるノード２１１およびライン２１５は、他ショッピングセンタよりも自ショッピングセンタの表示が優先される。すなわち、自ショッピングセンタおよび他ショッピングセンタの両者が有する店舗（例えば、第２店舗ＴＡ０２および第３店舗ＴＡ０３）については、自ショッピングセンタの店舗に関する情報が表示される。一方、自ショッピングセンタおよび他ショッピングセンタのいずれか一方が有する店舗は、その店舗に関する情報が表示される。
【００８４】
言い替えると、図９（ｃ）の店舗相関図２１０は、図９（ａ）の店舗相関図２１０を表示した状態で、図９（ｂ）に表示されかつ図９（ａ）に示されていない店舗の情報を追加して表示した図として捉えることができる。
このように、図９（ａ）乃至（ｃ）を切り替えることにより、自ショッピングセンタの店舗（例えば、第２店舗ＴＡ０２）と、自ショッピングセンタにはない店舗（例えば、第５１店舗ＴＡ５１）との相性（相関）を視覚により認識することができる。言い替えると、自ショッピングセンタに、新たな店舗が追加された場合のシミュレーション結果を、感覚的に把握することができる。
【００８５】
ここで、図９（ｃ）の店舗相関図２１０において、ノード２１１を選択することで、選択された店舗の相性度リスト２６１（図４（ｂ）参照）が表示される。例えば、この相性度リスト２６１に表示される店舗を他ショッピングセンタに存在するもののみに切り替えてもよい（ソートしてもよい）。この場合、自ショッピングセンタにはない店舗であって、かつ対象とする店舗と相性の良い店舗が相性度リスト２６１に表示される。この相性度リスト２６１は、例えば自ショッピングセンタに新たな店舗を誘致する際の判断資料となり得る。いわば、相性度リスト２６１がアタッキングリストとなり得る。また、相性度リスト２６１は、誘致される店舗にとって、買い回りをしてもらいやすい店舗が自ショッピングセンタにあることを定量的に示す資料となり得る。
【００８６】
さて、上記図９（ｂ）の説明においては、第２ショッピングセンタＳＣＢおよび第３ショッピングセンタＳＣＣのいずれか一方に含まれる店舗（例えば、第２店舗ＴＡ０２、第３店舗ＴＡ０３）は、各々の店舗のパラメータに基づいて表示されることを説明したが、これに限定されない。例えば、第２ショッピングセンタＳＣＢおよび第３ショッピングセンタＳＣＣのいずれか一方にのみ含まれる店舗は、店舗相関図２１０に表示しない態様であってもよい。
【００８７】
＜その他＞
図１０（ａ）は店舗情報一覧表示領域３０１を示し、図１０（ｂ）は店舗情報一覧表示領域３０３を示す。なお、店舗情報一覧表示領域３０１および店舗情報一覧表示領域３０３は、複数の表やグラフが一覧表示された所謂ダッシュボードとして構成されている。
【００８８】
さて、上記図３の説明においては、店舗相関図２１０とともに、店舗情報表示領域２３０を表示することを説明した。ここで、店舗情報表示領域２３０は、店舗相関図２１０とともに表示されなくともよい。また、店舗情報は、基本情報２３１、地域別売上高情報２３３、および曜日・時間別売上高情報２３５に限定されるものでもない。
【００８９】
例えば、上記店舗情報の表示態様に加えて、図３の店舗情報表示領域２３０が選択されることや、第１クライアントＰＣＡを介してユーザが店舗相関図表示装置１００にアクセスすることなどの所定の条件を契機として、図１０（ａ）あるいは図１０（ｂ）に示される店舗情報一覧表示領域３０１あるいは店舗情報一覧表示領域３０３が、第１クライアントＰＣＡの表示領域２００（図３参照）に表示されてもよい。
【００９０】
ここで、図１０（ａ）に示す店舗情報一覧表示領域３０１においては、対象とする店舗が属するショッピングセンタの所定期間（例えば、直近一年間）の売上高、レジ回数、平均会計単価、日あたり売上高、カテゴリ別売上高推移が一覧として表示される。
また、図１０（ｂ）に示す店舗情報一覧表示領域３０３においては、対象とする店舗の所定期間（例えば、直近一年間）の地域別売上高、性別・年齢層別売上高、距離圏別売上高、および曜日・時間帯別日当たり売上高が一覧として表示される。
これら店舗情報一覧表示領域３０１および店舗情報一覧表示領域３０３により、各店舗あるいはショッピングセンタにおける顧客の購買行動をより詳細に把握し得る。
【００９１】
さて、上記の説明においては、購買データがポイントカードにより集積されることを説明した。ここで、購買データが取得あるいは集積可能であれば、ポイントカード自体、すなわち板状のカードが介在する態様に限定されない。例えば、携帯電話（スマートフォン）や情報端末（タブレット）などにより実行されるソフトウェア（アプリ）などにより、購買データを集積してもよい。
【００９２】
また、購買データが取得あるいは集積可能であれば、利用者へのポイントの付与をともなうものに限定されない。例えば、クレジットカードや、ＰＯＳ（Point of Sales）データ、あるいはアンケートなど、利用者の購買履歴（行動履歴）が把握できるデータであればよい。あるいは、監視カメラ映像やＧＰＳ信号などの解析結果に基づいてデータを取得してもよい。
【００９３】
さて、上記図３においては、店舗の重みを、ノード２１１の大きさで示すことを説明した。しかしながら、ノード２１１の外観により店舗の重みを認識可能であればこれに限定されない。例えば、店舗の重みに応じてノード２１１の形状や色を変化させてもよい。
また、上記図３においてはノード２１１が表示される領域が、重力場であることを説明したが、各店舗が識別可能であれば、これに限定されない。例えば、ノード２１１をショッピングセンタにおける店舗レイアウトに従って配置してもよい。
【００９４】
また、上記図３においては、店舗の相性度を、ライン２１５の濃度および太さで示すことを説明した。しかしながら、ライン２１５の外観により店舗の相性度を認識可能であればこれに限定されない。例えば、店舗の相性度に応じて、ライン２１５の種別（線種）やハッチングなどの表示態様を変化させてもよい。
また、上記図３においては、店舗の重みおよび店舗の相性度の両者に基づいて、ノード２１１およびライン２１５の表示態様を制御することを説明したが、これに限定されない。例えば、店舗の重みおよび店舗の相性度のいずれか一方に基づいて、ノード２１１およびライン２１５の少なくとも一方の表示態様を制御すればよい。
【００９５】
また、上記店舗相関図表示システム１の説明においては、ショッピングセンタに入居する店舗同士の相性度について説明したが、複数の店舗同士の関係を示すものであればこれに限定されない。例えば、互いに離れた場所に存在する店舗間同士の関係性を示す構成であってもよい。また、ウェブサービス上の仮想ショッピングモール（仮想商店街）の店舗同士の関係性を示す構成であってもよい。
【００９６】
なお、上記では種々の実施形態および変形例を説明したが、これらの実施形態や変形例同士を組み合わせて構成してももちろんよい。
また、本開示は上記の実施形態に何ら限定されるものではなく、本開示の要旨を逸脱しない範囲で種々の形態で実施することができる。
【符号の説明】
【００９７】
１…店舗相関図表示システム、１０…クライアント群、２０…ショッピングセンタ群、３０…ネットワーク、１００…店舗相関図表示装置、２００…表示領域、２１０…店舗相関図、２１１…ノード、２１５…ライン、２２０…表示調整領域
【図１】
2018097628.tif 000003
【図２】
2018097628.tif 000004
【図３】
2018097628.tif 000005
【図４】
2018097628.tif 000006
【図５】
2018097628.tif 000007
【図６−１】
2018097628.tif 000008
【図６−２】
2018097628.tif 000009
【図７】
2018097628.tif 000010
【図８】
2018097628.tif 000011
【図９】
2018097628.tif 000012
【図１０】
2018097628.tif 000013